(57)【特許請求の範囲】
【請求項１】
支柱内部の所定の位置に配置された光源と、
該光源から所定の距離だけ離間して、凸部が前記光源の中心を指向する錐体状の第１の反射板と、
該第１の反射板の側面であって、前記凸部を含み前記第１の反射板と略相似形の錐体状の領域に形成された鏡面と、
前記第１の反射板の側面であって、該鏡面を除いた錐台状の領域に形成された乱反射面と、
前記支柱に支持された光出射部と、を備える照明器具において、
前記光源の近傍には、該光源からの光を前記支柱の軸方向と略平行であり、前記第１の反射板を指向する向きに反射させる第２の反射板と、
前記第１の反射板と前記第２の反射板の間であって、前記第２の反射板からの反射光を前記第１の反射板に向けて導光する開口部が形成されるとともに、前記支柱の軸方向平面視で、少なくとも前記第２の反射板を覆い隠す導光板を有する
照明器具。
【請求項２】
前記乱反射面は塗料でコーティングした請求項１に記載の照明器具。
【請求項３】
前記乱反射面は凹凸形状である請求項１または請求項２に記載の照明器具。
【請求項４】
前記支柱の軸方向と垂直な軸と、前記鏡面で反射される反射光が交わる角度が略１０°となるように、前記鏡面と前記支柱の軸方向のなす角度が設定された請求項１から請求項３の何れか１項に記載の照明器具。
【請求項５】
前記開口部の最大幅をＬ、前記鏡面の最大幅をＡとした場合に、
Ｌ／２≦Ａ≦Ｌ
となるように設定された請求項１から請求項４の何れか１項に記載の照明器具。
【発明の詳細な説明】
【技術分野】
【０００１】
本発明は、照明器具、及び光の出射方法に関する。詳しくは、公園や街路等に配置される支柱付の照明器具であり、広範な照射範囲を確保することができる照明器具、及び光の出射方法に係るものである。
【背景技術】
【０００２】
道路の側縁、公園等には、交通安全や防犯目的として多数の照明器具が設置されている。このような照明器具の光源としては、従来より白熱電球、ハロゲンランプ、及び蛍光灯などが用いられてきたが、近年では、これら白熱電球等に代替する光源として発光ダイオード素子（以下、「ＬＥＤ」とし略記する）を用いた照明器具が提案されている。
【０００３】
しかしながら、ＬＥＤは点光源形で指向性が強く、照射方向によっては光が目に差し込んで、眩しさ（グレア）などの不快感を覚える場合もある。
一般的に照明器具の高さは、地面から光の出射部までの高さが、高いものであれば３.０〜６.０ｍに設定され、低いものであれば０．５〜１.０ｍ程度に設定されたものが多いが、特に高さの低い照明器具においては、歩行者の目線と光の出射部が一致し、眩しさを覚える場合がある。
【０００４】
このような課題に対して、例えば、特許文献１に開示されるように、反射板を用いて光源から出射される光を多方向に分散させ、照射範囲を広げ、光源からの出射光を過度に集中させることを防止する技術が提案されている。
【０００５】
具体的には、図６に示すように、支柱１０２の下端部に支柱１０２を上下方向に移動可能な光源としてのランプ１０５、及び該ランプ１０５の支柱１０２の鉛直方向の対向する位置に第１の反射板１０８をそれぞれ配設する。ランプ１０５から出射された光は、第２の反射板１０９により鉛直方向上向きで、第１の反射板１０８を指向するように反射される。第１の反射板１０８に入射した反射光は、第１の反射板１０８で一定の角度で支柱１０２の鉛直方向斜め下向きに拡散反射され、拡散反射された反射光は照明器具１０１の周囲を照射する。
【０００６】
即ち、歩行者にはランプ１０５から直接出射される直接光は照射されず、一旦、第１の反射板１０８で反射された反射光が照射される。反射光は直接光に比べて柔らかく、均一な光であるため、目に優しく歩行者は眩しさを覚えることはない（特許文献１参照）。
【０００７】
ここで、第１の反射板１０８は、目標とする照射範囲を定めて、該照射範囲を照らすように歩行面に対して所定の角度を設けて設置されている。
従って、照明器具１０１から遠くの範囲を照射するには、第１の反射板１０８の水平軸に対する角度を、より大きく設定する必要がある。
一方、第１の反射板１０８の設置角度を大きくすると、照明器具１０１から離れた歩行面の所定の範囲を照らすことは可能であるが、照明器具１０１の足元付近には反射光が届かないという課題がある。
【０００８】
本課題に対して、例えば特許文献２には、複数の反射板を備えた照明器具が開示されている。
【０００９】
具体的には、図７に示すように、支柱２０２の中間部に光源２０５、光源２０５から出射された光を支柱２０２の鉛直方向上向きに反射させる第２の反射板２０９、支柱２０２の上部に第２の反射板２０９で鉛直方向上向きに反射された光を、支柱２０２の鉛直方向斜め下向きに反射させる第１の反射板２０８、さらに、光源２０５と第１の反射板２０８の中間部分であって、光源２０５から出射された光を、支柱２０２の鉛直方向斜め下向きに反射させて足元灯として機能させる中間照射部２１７がそれぞれ配設されている。
【００１０】
即ち、第１の反射板２０８で反射させた反射光で照明器具２０１から所定に離れた領域を照射し、中間部分の中間照射部２１７で反射させた反射光で照明器具２０１の足元を照らすことができるため、照明器具２０１の周囲全体を均一に照射することが可能となる。
【先行技術文献】
【特許文献】
【００１１】
【特許文献１】実開平７−２７００８号公報
【特許文献２】特開２００２−２６０４１０号公報
【発明の概要】
【発明が解決しようとする課題】
【００１２】
上述したように、特許文献１に記載の照明器具では、照明器具周囲の一定範囲を照射することはできるが、照明器具の足元まで反射光が届かないという課題がある。
また、光源であるランプが歩行者の目線と同じ位置か、又は目線よりも下に位置していることにより、配線等がむき出しとなっているランプ本体部分が歩行者に視認されるため、見栄えが悪いものとなっている。
【００１３】
一方、特許文献２に記載の照明器具では、光源からの光を支柱の外方に反射させるための反射板として、第１の反射板に加えて、中間部分に中間照射部を別途準備しなければならず、部品点数が多くなり製品コストが増大するとともに、照明器具の組み立てが複雑となり組み立て工数も増大する。
【００１４】
また、高さのある支柱を備える照明器具であれば、光源、中間照射部、第１の反射板を夫々配設するスペースを確保することができるが、支柱の高さが低い照明器具においては、中間照射部を配設するスペースを確保することが困難となる。
【００１５】
本発明は、以上の点に鑑みて創案されたものであり、主に公園や街路等に配置される支柱付の照明器具であり、広範な照射範囲を確保することができる照明器具、及び光の出射方法を提供することを目的とする。
【課題を解決するための手段】
【００１６】
上記の目的を達成するために、本発明の照明器具は、支柱内部の所定の位置に配置された光源と、該光源から所定の距離だけ離間して、凸部が前記光源の中心を指向する錐体状の第１の反射板と、該第１の反射板の側面であって、前記凸部を含み前記第１の反射板と略相似形の錐体状の領域に形成された鏡面と、前記第１の反射板の側面であって、該鏡面を除いた錐台状の領域に形成された乱反射面と、前記支柱に支持された光出射部とを備えている。
【００１７】
ここで、光源から所定の距離だけ離間した位置に、光源の中心を指向するように第１の反射板が配置されていることにより、光源から出射した光を第１の反射板で確実に反射させることがでる。
また、第１の反射板が錐体状であることにより、光源から出射された光を照明器具の全方位に向けて放射状に反射させることができる。
【００１８】
また、第１の反射板の側面であって、凸部を含み、第１の反射板と略相似形の錐体状の領域に鏡面が形成されていることにより、光源から出射された光を予め定めた一定の角度で支柱の外方に反射させることができる。
従って、目的とする照射領域に確実に反射光を照射させることができる。
【００１９】
また、第１の反射板の側面であって、鏡面を除いた錐台状の領域に乱反射面が形成されていることにより、光源から出射された光を乱反射させることができるため、鏡面反射した反射光の照射範囲以外の、例えば照明器具の足元に反射光を照射することができる。
【００２０】
また、支柱に支持された光出射部を備えていることにより、第１の反射板で反射した反射光を確実に支柱の外方に出射することができる。
【００２１】
上記の目的を達成するために、本発明の照明器具は、支柱内部の所定の位置に配置された光源と、該光源から所定の距離だけ離間して、凸部が前記光源の中心を指向する錐体状の第１の反射板と、該第１の反射板の側面であって、前記凸部を含み前記第１の反射板と略相似形の錐体状の領域に形成された鏡面と、前記第１の反射板の側面であって、該鏡面を除いた錐台状の領域に形成された乱反射面と、前記支柱に形成された開口部とを備えている。
【００２２】
ここで、光源から所定の距離だけ離間した位置に、光源の中心を指向するように第１の反射板が配置されていることにより、光源から出射した光を第１の反射板で確実に反射させることがでる。
また、第１の反射板が錐体状であることにより、光源から出射された光を照明器具の全方位に放射状に反射させることができる。
【００２３】
また、第１の反射板の側面であって、凸部を含み、第１の反射板と略相似形の錐体状の領域に鏡面が形成されていることにより、光源から出射された光を予め定めた一定の角度で支柱の外方に反射させることができる。
従って、目的とする照射領域に確実に反射光を照射させることができる。
【００２４】
また、第１の反射板の側面であって、鏡面を除いた錐台状の領域に乱反射面が形成されていることにより、光源から出射された光を乱反射させることができるため、鏡面反射した反射光の照射範囲以外の、例えば照明器具の足元に反射光を照射することができる。
【００２５】
また、支柱に形成された開口部により、第１の反射板で反射した反射光を確実に支柱の外方に出射することができる。
【００２６】
また、乱反射面が塗料でコーティングされている場合には、光源から出射された光が、塗料に含まれる微小粒子により様々な方向に乱反射させることができる。
従って、鏡面反射した反射光の照射範囲以外の、例えば照明器具の足元に反射光を照射することができる。
更に、コーティングを施すことにより第１の反射板の傷つき防止、汚れ防止となるため、第１の反射板の耐久性を向上させることができる。
【００２７】
また、乱反射面が凹凸形状である場合には、光源から出射された光が、凹凸で様々な方向に乱反射させることができる。
従って、鏡面反射した反射光の照射範囲以外の、例えば照明器具の足元に反射光を照射することができる。
【００２８】
また、支柱の軸方向と垂直な軸と、鏡面で反射される反射光が交わる角度が略１０°となるように、鏡面と支柱の軸方向のなす角度が設定される場合には、支柱上方への光漏を極力防止することができるとともに、歩行者のグレアを防止しつつ、目標とする路面の照射範囲を確実に照射することができる。
【００２９】
また、光源の近傍に、光源からの光を支柱の軸方向と略平行であり、第１の反射板を指向する向きに反射させる第２の反射板を備える場合には、光源から出射された光の漏れを極力抑えて第１の反射板に向けて出射させることができるため、照明器具の照射効率をより高めることができる。
【００３０】
また、第１の反射板と前記第２の反射板の間であって、第２の反射板からの反射光を第１の反射板に向けて導光する開口部が形成された導光板を有する場合には、第２の反射板で反射された反射光を第１の反射板の中心に向けて確実に出射させることができる。
【００３１】
更に、導光板が支柱の軸方向平面視で、少なくとも第２の反射板を覆い隠す場合には、光源の位置が歩行者の目線と同じか、又は低い支柱においても、例えば光源につながる配線等を導光板で覆い隠すことができるため、照明器具の見栄えが向上する。
【００３２】
また、導光板の開口部の最大幅をＬ、前記鏡面の最大幅をＡとした場合に、Ｌ／２≦Ａと設定した場合には、開口部から導光され、第１の反射板に入射する光の量を一定以上に確保し、目的とする照射範囲を確保することができる。
【００３３】
また、導光板の開口部の最大幅をＬ、前記鏡面の最大幅をＡとした場合に、Ａ≦Ｌと設定し場合には、開口部から導光される光のうち支柱の軸方向に対して角度をもった光を確実に遮断することができる。
即ち、支柱の軸方向と平行な光のみを第１の反射板の鏡面に反射させることができるため、グレアの発生や光害を確実に防止して、目的とする照射領域に確実に照射することができる。
【００３４】
上記の目的を達成するために、本発明の光の出射方法は、支柱内部の所定の位置に配置された光源から光を出射する工程と、光源からの光を前記支柱の軸方向に平行な向きに反射させる工程と、反射光の一部を支柱の外方に向けて略一定の角度で反射させると共に、反射光の一部を支柱の外方に向けて乱反射させる工程とを備えている。
【００３５】
ここで、光源からの光を支柱の軸方向に平行な向きに反射させる工程を有することにより、光源からの光が支柱の外方に漏れることがなく、照射効率を高めることができる。
【００３６】
また、反射光の一部を支柱の外方に向けて略一定の角度で反射させる工程を有することにより、目的とする照射領域に確実に反射光を照射させることができる。
【００３７】
また、反射光の一部を支柱の外方に向けて乱反射させる工程を有することにより、照射領域をさらに広げることができる。
【発明の効果】
【００３８】
本発明に係る照明器具、及び光の出射方法は広範な照射範囲を確保することができる。
【図面の簡単な説明】
【００３９】
【図１】本発明の実施形態に係る照明器具の正面図である。
【図２】本発明の実施形態に係る照明器具の上部を示す正面断面図である。
【図３】第１の反射板の拡大斜視図である。
【図４】本発明の実施形態に係る照明器具の配光の特性を示す正面断面図である。
【図５】本発明の実施形態に係る照明器具の配光の特性を示す正面図である。
【図６】従来技術を示す図である。
【図７】従来技術を示す図である。
【発明を実施するための形態】
【００４０】
以下、照明器具、及び光の出射方法に関する本発明の実施の形態について、図面を参照しながら説明し、本発明の理解に供する。なお、各図においては、説明の便宜上、照明器具１を地中Ｇに設置した状態において、照明器具１の底面から上面に向かう方向を上方向と定義し、上方向の反対方向を下方向と定義し、上方向、及び下方向により表される軸方向を鉛直方向と定義する。また、鉛直方向と垂直な軸方向を水平方向と定義する。
【００４１】
まず、本発明を適用した実施形態に係る照明器具１の全体構成について、図１、及び図２を用いて説明する。照明器具１は、例えば道路の側縁、公園、又は庭園等に設置されるものであり、支柱２と支柱２の上部で光を外方に向けて出射するための光出射部３が支柱２に支持されている。そして、照明器具１は、光出射部３から光を出射して歩行面Ｗの所定の範囲を照射する。
【００４２】
支柱２は、地中Ｇへの設置状態において上下方向に延びる円筒形状をしており、下部の一部が地中Ｇに埋め込まれている。また、支柱２の地中Ｇへ埋め込まれている部分には、図示しない電源ケーブルが挿通される挿通穴４が形成されており、この挿通穴４から図示しない電源ケーブルが内部に引き込まれ、光源としてのＬＥＤ５の電源１５に電力が供給されるように構成されている。
【００４３】
ここで、必ずしも、支柱２は円筒形状である必要はない。例えば、多角形をした角柱等、照明器具１のデザインに合わせて選択することが可能である。
【００４４】
また、必ずしも、光源はＬＥＤ５である必要はない。例えば、白熱球、ハロゲンランプ、蛍光灯、ＨＩＤランプ等から利用目的等に応じて適宜選択することができる。
【００４５】
光出射部３は透明なアクリル樹脂から構成されており、光源からの光を支柱２の外方に向けて透過可能となっている。光出射部３の外径は、支柱２の外径とほぼ同程度の大きさであり、光出射部３の外周面と支柱２の外周面とが略面一になっている。
【００４６】
ここで、必ずしも、光出射部３は透明である必要はない。光が透過できれば、どのような色彩であってもよい。
【００４７】
また、必ずしも、光出射部３の材質はアクリル樹脂である必要はない。ガラス、ＡＢＳ樹脂等適宜選択することができる。
【００４８】
また、必ずしも、光出射部３の外径は、支柱２の外径と同程度の大きさである必要はない。例えば、支柱２の外径よりも小さな外径であり、光出射部３が支柱２に対して絞られた形状であってもよい。更に、支柱２の外径よりも大きな外径であり、光出射部３が支柱２の側面から外方に膨出するような形状であってもよい。
【００４９】
また、必ずしも、光出射部３として光を透過する部材を設ける必要はない。例えば、光出射部３の対応する位置に、支柱２から外方に向かって出射することができるように、支柱２の側面に開口部を形成してもよい。
【００５０】
光出射部３の上端部には、支柱２を地中Ｇに設置した状態において下方に開口する円形容器状のカバー６が被せられており、光出射部３の上面の全面が覆われている。
【００５１】
ここで、必ずしも、カバー６は円形である必要はない。支柱２、又は光出射部３の外径形状に合わせて、適宜変更することができる。
【００５２】
光源としてのＬＥＤ５の周囲には、ＬＥＤ５の自己発生熱により生じる電源１５の回路不具合等を防止するため、放熱、吸熱を目的としたヒートシンク７が取り付けられている。また、ヒートシンク７には、ＬＥＤ５の先端部分を包囲するように、第２の反射板９が取り付けられている。
【００５３】
第２の反射板９はＬＥＤ５の外周から外側に向かう放物面を有し、ＬＥＤ５から出射される光を支柱２の鉛直方向上向きに反射させる照明作用を有する。
【００５４】
ここで、必ずしも、第２の反射板９を有する必要はない。但し、第２の反射板９を有することで、ＬＥＤ５から出射される光を支柱２の外方に漏れ出すことなく、後述する第１の反射板に向けて、支柱２の鉛直方向上向きに反射させることができるため、照射効率を高めることが可能となる。
【００５５】
また、必ずしも、第２の反射板９は放物面を形成している必要はない。ＬＥＤ５から出射される光を支柱２の鉛直方向上向きに反射させることができればよく、例えば、円弧面、平直な傾斜面、楕円面に形成してもよい。
【００５６】
ＬＥＤ５、及び第２の反射板９は支柱２の側面、及びヒートシンク７で支持されたハウジング１０により保護されている。
また、支柱２の上面平面視で、第２の反射板９を覆い隠すとともに、第２の反射板９で反射された反射光を支柱２の鉛直方向上向きに導光するための円形の開口部１２（直径Ｌ）が形成された導光板１１が、ハウジング１０と一体となっている。
更に、導光板１１と第２の反射板９の間には、スペーサーとしての透明樹脂板１６が介挿されている。
【００５７】
ここで、必ずしも、導光板１１を有する必要はない。但し、導光板１１を有することで、少なくとも第２の反射板９を覆い隠すことができる。即ち、例えば、光源の位置が歩行者の目線と同じか、又は低い支柱においても、導光板１１により、第２の反射板９、ＬＥＤ５、ＬＥＤ５につながる配線等を覆い隠すことができるため、照明器具１の見栄えを向上させることができる。
【００５８】
また、必ずしも、開口部１２は円形である必要はない。一定の光を導光することができればよく、例えば、多角形であってもよい。
【００５９】
また、必ずしも、導光板１１はハウジング１０と一体となっている必要はない。
例えば、導光板１１を別体で形成し、ハウジング１０又は、支柱２の側面に取り付けるように構成してもよい。
【００６０】
カバー６には、凸部１３がＬＥＤ５の略中心を指向するように形成された円錐体状（コーン状）の第１の反射板８が、固定板１４を介して取り付けられている。図３に示すように、凸部１３を含み、第１の反射板８の形状と略相似形をした略円錐体状の側面に形成された領域Ｍには鏡面仕上げが施されている。
【００６１】
ここで、必ずしも、第１の反射板８は円錐体状である必要はない。例えば、多角形の角錐体状であってもよい。但し、円錐体状の場合には、側面が滑らかなＲ形状であるため、第１の反射板から反射された光を支柱２の外方の全方位に向けて放射状に効率的に反射させることができる。
【００６２】
また、必ずしも、第１の反射板８は凸部１３を有する錐体状である必要はない。例えば、錐体状の頂点を共有し相似に縮小した凸部を含む錐体を取り除いた、所謂、錐台状であってもよい。但し、錐台状の場合には、ＬＥＤ５に臨む錐台状の頂面が一定面積を有する平部であり、この平部で第２の反射板９の反射光が、鉛直方向下向きに反射されてしまうため、支柱２の外方への照射効率を高めるためには、錐体状であることが好ましい。
【００６３】
図４に示す第１の反射板８の、領域Ｍの傾斜角αは、支柱２の鉛直方向に対して３５°から４５°の角度を有しており、特に傾斜角αを５０°に設定することが好ましい。
【００６４】
第１の反射板８の領域Ｍで反射された鏡面反射光Ｓ１（図４の実線で示す矢印）は、一定角度で斜め下方向に向けて反射される。詳細には、第２の反射板９から支柱２の鉛直方向上向きに向かった反射光は、領域Ｍで鏡面反射し、水平方向に対して照明器具１から離れる側の斜め下方向に向かい、光出射部３を透過して、照明器具１から離れた一定範囲の歩行面Ｗを照射する。
【００６５】
ここで、必ずしも、傾斜角αは３５°から４５°の範囲に設定される必要はない。支柱２の高さに応じて適宜設定することができる。但し、屋外の公共照明基準では、水平方向に対する反射光の仰角βが５°の位置における照明器具の輝度を基準としており、通常、屋外用の照明器具においては、この仰角β（＝５°）よりも下方に向けて光を出射するように設計されている。
【００６６】
この点、発明者が実験を繰り返した結果、本発明の実施形態に係る支柱２の高さ（０．８ｍ）において、支柱２を中心とした半径４.０ｍ位置にて、屋外の公共照明基準である１ルクス（ｌｘ）の輝度を確保するためには、図５に示すように、支柱２から出射する光の水平方向に対する仰角β（水平軸ｈと鏡面反射光Ｓ１とのなす角）を１０°とした場合に、最も明るい輝度を確保することができた。
【００６７】
即ち、支柱２からの水平距離４.０ｍの歩行面Ｗの位置から、支柱２の高さ０.８ｍの仰角βは、約１０°（換言すると、水平方向から下方向１０°）となる。この時の、傾斜角αは４０°となり、この前後の傾斜角αを３５°から４５°に設定すると、照射範囲を確保しつつ、歩行者に対するグレアを最小限に抑えることが確認できた。
【００６８】
図２に示すように、領域Ｍの最大幅Ａの上限は、導光板１１に形成された開口部１２の最大幅Ｌ以下となるように設定されている。また、領域Ｍの最大幅Ａの下限は、開口部１２の最大幅Ｌの半分以上となるように設定されている。
【００６９】
ここで、必ずしも、領域Ｍの最大幅Ａの上限は、開口部１２の最大幅Ｌ以下となるように設定される必要はない。但し、領域Ｍの最大幅Ａの上限を、開口部１２の最大幅Ｌより大きくすると、開口部１２から導光される光のうち、開口部１２の縁部で曲げられ、支柱２の鉛直方向上向きの光以外の角度をもった光が領域Ｍに入射することになる。
このような角度をもった光が領域Ｍに入射すると、領域Ｍで水平方向よりも上方向に光が反射され、グレアの発生、及び光害の要因となるため、領域Ｍの最大幅Ａの上限は、開口部１２の最大幅Ｌ以下とすることが好ましい。
【００７０】
また、必ずしも、領域Ｍの最大幅Ａの下限は、開口部１２の最大幅Ｌの半分以上となるように設定される必要はない。但し、領域Ｍの最大幅Ａの上限を、開口部１２の最大幅Ｌの半分より小さくすると、開口部１２から出射される光のうち、領域Ｍへ入射する光の量が相対的に小さくなる。
従って、領域Ｍで鏡面反射される鏡面反射光Ｓ１が弱くなるため、照射効率を一定以上に保つためにも、領域Ｍの最大幅Ａの下限は開口部１２の最大幅Ｌの半分以上とすることが好ましい。
【００７１】
第１の反射板８の領域Ｍを除いた、略錐台状の側面に形成された領域Ｄは、白色系の塗料でコーティングが施された乱反射面が形成され、図４に示すように、第２の反射板から反射される反射光を乱反射させることが可能となっている（図４の点線で示す矢印、及び符号Ｓ２）。そして、領域Ｄの側面は支柱２の鉛直方向斜め上方向にやや凹んだ曲線形状を呈している。
【００７２】
ここで、必ずしも、領域Ｄは白色系の塗料である必要はない。塗料に含まれる微小粒子により光を乱反射させることができればよく、ＬＥＤ５の発光色に応じてどのような色彩の塗料を選択してもよい。
【００７３】
また、必ずしも、領域Ｄは塗料でコーティングが施されている必要はない。領域Ｄで光を乱反射させることができれば、どのような表面処理がされていてもよく、例えば、領域Ｄを凹凸形状としてもよい。
更に、塗料によるコーティングと凹凸形状の組み合わせによる表面処理が施されていてもよい。
【００７４】
また、必ずしも、領域Ｄの側面は支柱２の鉛直方向斜め上方向にやや凹んだ曲線形状を呈している必要はない。例えば、領域Ｍの側面から傾斜角αを維持したままの直線形状であってもよい。但し、領域Ｄの側面を曲線形状とすることで、領域Ｄで乱反射させた乱反射光Ｓ２が照明器具１の足元の近い位置まで照射範囲を広げることができるため、曲線形状とすることが好ましい。
【００７５】
次に、このように構成された照明器具１の地中Ｇに設置した状態における光の出射方法について、図４、及び図５に基づき説明する。
【００７６】
図４において、ＬＥＤ５から出射された光は、第２の反射板９で支柱２の鉛直方向上向きに反射される。
【００７７】
次に、第２の反射板９で反射された反射光は、導光板１１の開口部１２から第１の反射板８に向けて導光される。
【００７８】
そして、開口部１２から導光された光のうち、第１の反射板８の領域Ｍに入射した光は、領域Ｍの傾斜角αに従って水平軸ｈに対して一定角度βで支柱２の斜め下方向に鏡面反射される。
【００７９】
領域Ｍで鏡面反射された鏡面反射光Ｓ１は、放射状に広がり、光出射部３から支柱２の外方に向けて出射し、照明器具１から所定に離れた歩行面Ｗの所定の範囲を照射する。
【００８０】
一方、開口部１２から導光された光のうち、第１の反射板の領域Ｄに入射した反射光の一部は支柱２の鉛直方向に向けて乱反射される。
【００８１】
領域Ｄで乱反射された乱反射光Ｓ２は、光出射部３から支柱２の外方に向けて出射し、図５に示すように照明器具１の足元を含め、歩行面Ｗの所定の範囲を照射する。
【００８２】
以上のように、本発明を適用した照明器具、及び光の出射方法は、広範な照射範囲を確保することができるものとなっている。
【符号の説明】
【００８３】
１、１０１、２０１      照明器具
２、１０２、２０２      支柱
３      光出射部
４      挿通穴
５      ＬＥＤ
１０５  ランプ
２０５  光源
６      カバー
７      ヒートシンク
８、１０８、２０８      第１の反射板
９、１０９、２０９      第２の反射板
１０    ハウジング
１１    導光板
１２    開口部
１３    凸部
１４    固定板
１５    電源
１６    透明樹脂板
２１７  中間照射部
Ｓ１    鏡面反射光
Ｓ２    乱反射光
Ｇ      地面
Ｗ      歩行面
ｈ      水平軸
【図１】
0006563772.tif 000002
【図２】
0006563772.tif 000003
【図３】
0006563772.tif 000004
【図４】
0006563772.tif 000005
【図５】
0006563772.tif 000006
【図６】
0006563772.tif 000007
【図７】
0006563772.tif 000008